(57)【特許請求の範囲】
【請求項１】
光ディスクの記録再生を行うための対物レンズを保持するレンズホルダと、
該レンズホルダのトラッキング方向及びフォーカシング方向にほぼ平行な２側面のそれぞれに配置された、前記レンズホルダをフォーカシング方向に駆動するための一対の第１のコイルと、
該一対の第１のコイルとともに前記レンズホルダの２側面のそれぞれに配置された、前記レンズホルダをトラッキング方向に駆動するための第２のコイルと、
前記レンズホルダの２側面のそれぞれに対向面を有するよう配置される永久磁石であって、前記各対向面はトラッキング方向にほぼ平行な境界線及びフォーカシング方向にほぼ平行な境界線によって分割された４つの磁極領域を含む永久磁石と、
前記第１のコイル及び第２のコイルに駆動電流を供給する手段と、
を備えた光ピックアップ装置において、
前記第１のコイルは、その巻回軸方向に眺めて、ほぼ平行で互いの長さがほぼ等しい２つのコイル線部を有し、前記レンズホルダの対応する側面に当該２つのコイル線部がトラッキング方向にほぼ平行となるように配置され、
前記永久磁石は、前記磁極領域を分割するトラッキング方向にほぼ平行な境界線が、前記レンズホルダの対向する側面に配置されている前記第１のコイルのトラッキング方向にほぼ平行な２つのコイル線部の間に位置するように、前記対向面を対向させて配置されており、
前記第１のコイルの２つのコイル線部のうち、フォーカシング方向に前記第２のコイルに近い側のコイル線部は、他方のコイル線部よりも、トラッキング方向において前記対物レンズの光軸から離れる側にずれて配置されている
ことを特徴とする光ピックアップ装置。
【請求項２】
光ディスクの記録再生を行うための対物レンズを保持するレンズホルダと、
該レンズホルダのトラッキング方向及びフォーカシング方向にほぼ平行な２側面のそれぞれに配置された、前記レンズホルダをフォーカシング方向に駆動するための一対の第１のコイルと、
該一対の第１のコイルとともに前記レンズホルダの２側面のそれぞれに配置された、前記レンズホルダをトラッキング方向に駆動するための第２のコイルと、
前記レンズホルダの２側面のそれぞれに対向面を有するよう配置される永久磁石であって、前記各対向面はトラッキング方向にほぼ平行な境界線及びフォーカシング方向にほぼ平行な境界線によって分割された４つの磁極領域を含む永久磁石と、
前記第１のコイル及び第２のコイルに駆動電流を供給する手段と、
を備えた光ピックアップ装置において、
前記第１のコイルは、その巻回軸方向に眺めて、ほぼ平行で互いの長さがほぼ等しい２つのコイル線部を有し、前記レンズホルダの対応する側面に当該２つのコイル線部がトラッキング方向にほぼ平行となるように配置され、
前記永久磁石は、前記磁極領域を分割するトラッキング方向にほぼ平行な境界線が、前記レンズホルダの対向する側面に配置されている前記第１のコイルのトラッキング方向にほぼ平行な２つのコイル線部の間に位置するように、前記対向面を対向させて配置されており、
前記一対の第１のコイルそれぞれが有する２つのコイル線部同士の間で、フォーカシング方向に前記第２のコイルに近い側のコイル線部同士の間隔が、フォーカシング方向に前記第２のコイルと離れた側のコイル線部同士の間隔よりも、大きくなるよう配置されている
ことを特徴とする光ピックアップ装置。
【請求項３】
前記一対の第１のコイルそれぞれが有する２つのコイル線部同士の間で、フォーカシング方向に前記第２のコイルに近い側のコイル線部同士の間隙に、前記第２のコイルの一部が配置されている
ことを特徴とする請求項２に記載の光ピックアップ装置。
【請求項４】
前記第２のコイルは、その巻回軸方向に眺めて、ほぼ平行な２つのコイル線部を有し、該２つのコイル線部のうち、フォーカシング方向に前記一対の第１のコイルに近い側のコイル線部は、他方のコイル線部よりも長く形成されている
ことを特徴とする請求項１から３のいずれか１項に記載の光ピックアップ装置。
【請求項５】
前記第１のコイルは、その巻回軸方向に眺めた形状が、ほぼ平行四辺形である
ことを特徴とする請求項１から４のいずれか１項に記載の光ピックアップ装置。
【請求項６】
前記一対の第１のコイルの永久磁石に対向する面と前記第２のコイルの永久磁石に対向する面とが、トラッキング方向及びフォーカシング方向にほぼ平行な同一平面に含まれるように配置されている
ことを特徴とする請求項１から５のいずれか１項に記載の光ピックアップ装置。
【発明の詳細な説明】
【技術分野】
【０００１】
本発明は、ＣＤ、ＤＶＤ等の光ディスク記録再生装置において光ディスク記録面に対して情報の記録及び再生を行うためのレーザー光源、受光部、対物レンズ等を備えた光ピックアップ装置に関するものである。
【背景技術】
【０００２】
ＣＤ、ＤＶＤ等の光ディスク記録再生装置の光ピックアップに備えられる一般的な対物レンズ駆動手段は、対物レンズを搭載した可動のレンズホルダと、レンズホルダの支持部材と、レンズホルダに固定されたフォーカシングコイル及びトラッキングコイルと、これらのコイルに対向して配置されるヨーク及び永久磁石とから構成される。フォーカシングコイルに駆動電流を印加すると、永久磁石からの磁束との作用により電磁力が生じて、レンズホルダが光ディスク面に接近又は離遠する方向であるフォーカシング方向に駆動されるようになっている。同様に、トラッキングコイルに駆動電流を印加すると、永久磁石からの磁束との作用により電磁力が生じて、レンズホルダが光ディスクの半径方向であるトラッキング方向に駆動されるようになっている。
【０００３】
このような構成を有する対物レンズ駆動手段の例が特許文献１に記載されている。特許文献１に記載の対物レンズ駆動手段では、レンズホルダの側面において、一対の角型扁平形状のコイルが僅かな間隔をあけて取り付けられ、他のコイルが前記一対のコイル間の中央よりも上方の位置に取り付けられる。このとき、まずレンズホルダ側面に前記一対のコイルを取り付け、その上に前記一対のコイルそれぞれと一部重なるようにして前記他のコイルが取り付けられている。また、上記３つの角型扁平コイルの寸法を小さくして、このような重なり部分が生じないように配置する例も示されている。
【特許文献１】特開２００４−３２６８８５号公報（第６頁、第８頁、図１、図３、図６等参照）
【発明の開示】
【発明が解決しようとする課題】
【０００４】
しかしながら、上記特許文献１に記載の対物レンズ駆動手段において、３つの角型扁平コイルの一部を上下に重ねて取り付ける構成では、レンズホルダ側面に密着して取り付けた第１コイル及び第２コイルは第３コイルに比べて磁石からの距離が遠くなるため、これらのコイルに作用する磁束密度が低下し、その駆動力が低下するという問題がある。
【０００５】
このような問題点を避けるべく、上記したように３つの角型扁平コイルを均等に磁石に接近させるために、３つの角型扁平コイルの寸法をやや小さくし重なり部分が生じないような配置とすることもできるが、この場合、各コイルの長さが短くなるので、十分な駆動力が得られず、記録再生の高速化の要請に対応できなくなるという別の問題が生じてしまう。
【０００６】
また、磁石から発生する磁束密度は、磁石の中央部ではほぼ均一であるが、磁石の周辺部では磁束密度が小さくなる。この磁石の周辺部で磁束密度が低下する領域にコイルの一部が配置されていると、コイルがフォーカシング方向やトラッキング方向に変位した場合にコイルで発生する駆動力の大きさが変化し、コイルの中心に対して回転モーメントが発生してしまう。この回転モーメントは対物レンズの傾きを引き起こし、光ディスクの記録再生に対して悪影響を及ぼすことになる。
【０００７】
これについて図を参照しながら説明する。図８は、従来の光ピックアップ装置におけるレンズホルダ側面のコイルとこれに対向する磁石の配置を示す図である。図８において、一対の第１のコイル２３と第２のコイル４と永久磁石１１とが特許文献１の図６と同様な位置関係で配置されている。一対の第１のコイル２３は、その間に挟むようにして第２のコイル４を配置しているため、いずれもが永久磁石１１に対してトラッキング方向（y方向）の外寄りに配置されることになる。ここでは、コイルがフォーカシング方向やトラッキング方向に変位していない中立状態を示している。
【０００８】
このような従来のレンズホルダが中立状態からトラッキング方向に変位したときの状態を図９に示す。図９において、第１のコイル２３のコイル線部２３ａ及び２３ｂは、対向する永久磁極１１の磁極領域が周辺部から中央部に近づくので、コイル線部２３ａ及び２３ｂにおいて発生する駆動力Ｆａ’及びＦｂ’は大きくなる。一方、第１のコイル２３のコイル線部２３ｃ及び２３ｄは、対向する永久磁極１１の磁極領域がさらに中央部から遠ざかるので、コイル線部２３ｃ及び２３ｄにおいて発生する駆動力Ｆｃ’及びＦｄ’は小さくなる。したがって、一対の第１のコイル２３の左右それぞれで発生するフォーカシング方向（z方向）の駆動力に差が生じ、ｘ軸回りの回転モーメントが発生することになる。この回転モーメントによりレンズホルダが傾いてしまう。
【０００９】
図８に示す従来のレンズホルダにおいてこのような回転モーメントの発生を低減するためには、第１のコイル２３の寸法を小さくして、なるべく第１のコイル２３が磁束密度の均一な範囲内に滞留するようにするほかない。しかしながら、上記したようにコイルの寸法を小さくすると、十分な駆動力が得られなくなってしまう。あるいは、第１のコイル２３の寸法はそのままで磁束密度が均一な範囲内に滞留させるには、永久磁石１１の寸法を大きくする必要があるが、これでは光ピックアップ装置自体が大型化せざるを得ない。
【００１０】
本発明は、このような実情に鑑みてなされたものであり、光ピックアップ装置の対物レンズ駆動手段において、フォーカシング方向及びトラッキング方向への駆動力を損なうことなく、レンズホルダ側面に取り付けられたコイルにおいて発生する回転モーメントを低減できる光ピックアップ装置を提供しようとするものである。
【課題を解決するための手段】
【００１１】
上記解決課題に鑑みて鋭意研究の結果、本発明者は、前記第１のコイルのトラッキング方向にほぼ平行な２つのコイル線部のうち、対物レンズに近い側のコイル線部を、レンズ光軸から離れる方向にずらして配置すれば、レンズホルダがトラッキング方向に遷移した際に、左右の第１のコイルで生じる駆動力の増減を相殺して左右の駆動力のアンバランスを解消することができることに想到した。
【００１２】
すなわち、本発明は、光ディスクの記録再生を行うための対物レンズを保持するレンズホルダと、該レンズホルダのトラッキング方向及びフォーカシング方向にほぼ平行な２側面のそれぞれに配置された、前記レンズホルダをフォーカシング方向に駆動するための一対の第１のコイルと、該一対の第１のコイルとともに前記レンズホルダの２側面のそれぞれに配置された、前記レンズホルダをトラッキング方向に駆動するための第２のコイルと、前記レンズホルダの２側面のそれぞれに対向面を有するよう配置される永久磁石であって、前記各対向面はトラッキング方向にほぼ平行な境界線及びフォーカシング方向にほぼ平行な境界線によって分割された４つの磁極領域を含む永久磁石と、前記第１のコイル及び第２のコイルに駆動電流を供給する手段と、を備えた光ピックアップ装置において、前記第１のコイルは、その巻回軸方向に眺めて、ほぼ平行で互いの長さがほぼ等しい２つのコイル線部を有し、前記レンズホルダの対応する側面に当該２つのコイル線部がトラッキング方向にほぼ平行となるように配置され、前記永久磁石は、前記磁極領域を分割するトラッキング方向にほぼ平行な境界線が、前記レンズホルダの対向する側面に配置されている前記第１のコイルのトラッキング方向にほぼ平行な２つのコイル線部の間に位置するように、前記対向面を対向させて配置されており、前記第１のコイルの２つのコイル線部のうち、フォーカシング方向に前記第２のコイルに近い側のコイル線部は、他方のコイル線部よりも、トラッキング方向において前記対物レンズの光軸から離れる側にずれて配置されていることを特徴とする光ピックアップ装置を提供するものである。
【００１３】
本発明は、また、光ディスクの記録再生を行うための対物レンズを保持するレンズホルダと、該レンズホルダのトラッキング方向及びフォーカシング方向にほぼ平行な２側面のそれぞれに配置された、前記レンズホルダをフォーカシング方向に駆動するための一対の第１のコイルと、該一対の第１のコイルとともに前記レンズホルダの２側面のそれぞれに配置された、前記レンズホルダをトラッキング方向に駆動するための第２のコイルと、前記レンズホルダの２側面のそれぞれに対向面を有するよう配置される永久磁石であって、前記各対向面はトラッキング方向にほぼ平行な境界線及びフォーカシング方向にほぼ平行な境界線によって分割された４つの磁極領域を含む永久磁石と、前記第１のコイル及び第２のコイルに駆動電流を供給する手段と、を備えた光ピックアップ装置において、前記第１のコイルは、その巻回軸方向に眺めて、ほぼ平行で互いの長さがほぼ等しい２つのコイル線部を有し、前記レンズホルダの対応する側面に当該２つのコイル線部がトラッキング方向にほぼ平行となるように配置され、前記永久磁石は、前記磁極領域を分割するトラッキング方向にほぼ平行な境界線が、前記レンズホルダの対向する側面に配置されている前記第１のコイルのトラッキング方向にほぼ平行な２つのコイル線部の間に位置するように、前記対向面を対向させて配置されており、前記一対の第１のコイルそれぞれが有する２つのコイル線部同士の間で、フォーカシング方向に前記第２のコイルに近い側のコイル線部同士の間隔が、フォーカシング方向に前記第２のコイルと離れた側のコイル線部同士の間隔よりも、大きくなるよう配置されていることを特徴とする光ピックアップ装置を提供するものである。
【００１４】
本発明の光ピックアップ装置において、前記一対の第１のコイルそれぞれが有する２つのコイル線部同士の間で、フォーカシング方向に前記第２のコイルに近い側のコイル線部同士の間隙に、前記第２のコイルの一部が配置されていることを特徴とする。
【００１５】
本発明の光ピックアップ装置において、前記第２のコイルは、その巻回軸方向に眺めて、ほぼ平行な２つのコイル線部を有し、該２つのコイル線部のうち、フォーカシング方向に前記一対の第１のコイルに近い側のコイル線部は、他方のコイル線部よりも長く形成されていることを特徴とする。
【００１６】
本発明の光ピックアップ装置において、前記第１のコイルは、その巻回軸方向に眺めた形状が、ほぼ平行四辺形であることを特徴とする。
【００１７】
本発明の光ピックアップ装置において、前記一対の第１のコイルの永久磁石に対向する面と前記第２のコイルの永久磁石に対向する面とが、トラッキング方向及びフォーカシング方向にほぼ平行な同一平面に含まれるように配置されていることを特徴とする。
【発明の効果】
【００１８】
以上、説明したように、本発明の光ピックアップ装置では、フォーカシングコイルで駆動力を発生させたときに、付随してフォーカシングコイルで生じる回転モーメントを低減することができるので、対物レンズの傾きを小さく抑えることができ、安定した記録再生を行うことができる。また、フォーカシングコイル及びトラッキングコイルの駆動力を損なわないので、記録再生速度が落ちることもない。
【発明を実施するための最良の形態】
【００１９】
以下、添付図面を参照しながら、本発明の光ピックアップ装置を実施するための最良の形態を詳細に説明する。図１〜図７は、本発明の実施の形態を例示する図であり、これらの図において、同一の符号を付した部分は同一物を表わし、基本的な構成及び動作は同様であるものとする。
【００２０】
まず、本発明の光ピックアップ装置を備えた光ディスク記録再生装置の概略構成を図１に示す。図１において、光ディスク記録再生装置１００は、光ディスク１０１を回転させるスピンドルモータ１２０と、光ディスク１０１に対して情報の記録再生を行う光ピックアップ装置１１０と、これらを制御するコントローラ１３０とを備えている。光ピックアップ装置１１０は、対物レンズ１、対物レンズ駆動手段５０、レーザ発光素子１１１、光検出器１１２等の光学部品を有している。
【００２１】
コントローラ１３０に接続されたディスク回転制御回路１３１は、コントローラ１３０からの指令を受けて、光ディスク１０１を搭載したスピンドルモータ１２０を回転駆動する。コントローラ１３０に接続された送り制御回路１３２は、コントローラ１３０からの指令を受けて、光ピックアップ装置１１０を光ディスク１０１の半径方向に移動させる。光ピックアップ装置１１０に搭載されたレーザ発光素子１１１には、発光素子駆動回路１３３が接続されている。コントローラ１３０からの指令を受けて発光素子駆動回路１３３から駆動信号がレーザ発光素子１１１に入力されると、レーザ発光素子１１１は光ディスク１０１に向けてレーザ光を発光し、このレーザ光は対物レンズ１により光ディスク１０１上に集光される。集光されたレーザ光は、光ディスク１０１で反射し、対物レンズ１を通過し、光検出器１１２に入射する。光検出器１１２で得られた検出信号１３４は、サーボ信号検出回路１３５及び再生信号検出回路１３７に入力される。サーボ信号検出回路１３５は、入力された検出信号１３４に基づいてサーボ信号を生成し、コントローラ１３０に出力する。コントローラ１３０は、このサーボ信号をアクチュエータ駆動回路１３６に出力し、これに応じてアクチュエータ駆動回路１３６は、光ピックアップ装置１１０の対物レンズ駆動手段５０に駆動信号を出力して、対物レンズ１の位置決め制御を行う。
【００２２】
一方、光検出器１１２から検出信号１３４を受け取った再生信号検出回路１３７は、この検出信号１３４から再生信号を生成し、コントローラ１３０に出力する。コントローラ１３０がこの再生信号を図示しない再生部に出力して、光ディスク１０１に記録された情報が再生されることになる。
【００２３】
以上説明した各要素は、従来の光ディスク記録再生装置が備えるものと同様に構成され同様の作用効果を奏するものである。本発明の光ピックアップ装置は、従来技術とは異なる対物レンズ駆動手段５０を備えたことに特徴を有するものであり、以下この対物レンズ駆動手段５０の構成及び動作について詳細に説明する。
【００２４】
図２は、本発明の光ピックアップ装置１１０の対物レンズ駆動手段５０の構造を示す分解斜視図である。図２では、対物レンズ１の駆動方向をｘ，ｙ，ｚ方向として表しており、ｚ方向は、対物レンズ１を対物レンズ１の光軸に沿って光ディスク記録面に接近又は離遠するよう駆動するフォーカシング方向であり、ｙ方向は、対物レンズ１を光ディスクの半径方向に駆動するトラッキング方向である。ｘ方向は、ｙ方向及びｚ方向の双方に直交する方向である。図２において、対物レンズ１はホルダ２により保持されている。ホルダ２は、トラッキング方向と平行な両側面において、フォーカシング方向への駆動力を発生させる一対の第１のコイル３と、トラッキング方向への駆動力を発生させる第２のコイル４とを備えている。また、ホルダ２は、固定部７に一端が固定された棒状の支持部材６により支持されている。第１のコイル３及び第２のコイル４は、それぞれがいずれかの支持部材６の一端と半田等により電気的に接続され、支持部材６を介して電力供給を受けるようになっている。この対物レンズ１及びホルダ２のトラッキング方向と平行な両側面に対向するように、４つの永久磁石１１及びヨーク９が配置される。
【００２５】
図３は、ホルダ２のトラッキング方向と平行な一側面における一対の第１のコイル３及び第２のコイル４と永久磁石１１との配置を概略的に示す図である。図３において、一対の第１のコイル３のそれぞれは、トラッキング方向に平行な２つのコイル線部３ａ、３ｂ及び３ｃ、３ｄを有し、２つのコイル線部３ａと３ｂ、および３ｃと３ｄの位置がトラッキング方向にずれた略平行四辺形の形状をしている。また、一対の第１のコイル３は、対物レンズ１の光軸に対して互いに線対称となるように配置されている。ここで、一対の第１のコイル３のトラッキング方向に平行な２つのコイル線部のうち、対物レンズ１に近い方のコイル線部３ａと３ｃとの間のトラッキング方向の間隔が、対物レンズ１に対して遠い方のコイル線部３ｂと３ｄとの間のトラッキング方向の間隔よりも広くなっている。この間隔の広くなった一対の第１のコイル３のコイル線部３ａと３ｃとの間に、第２のコイル４の一部を配置している。
【００２６】
一方、略直方体形状をした永久磁石１１は２極に着磁されており、ホルダ２の各側面に対向する位置に２個ずつ配置される。図３に示すように、ホルダ２の一側面に対向する永久磁石の表面は、４つの磁極領域を有する。一対の第１のコイル３と第２のコイル４は、それぞれトラッキング方向及びフォーカシング方向に平行な磁極領域の境界線をほぼ中央にまたぐようにして配置される。尚、図２では、ホルダ２の両側方にそれぞれ２個の永久磁石１１を配置することをわかりやすく示すために、２個の永久磁石１１の間に隙間を空けた配置を示しているが、ホルダ２に対向する面において４つの磁極領域に分かれていればよいので、２個の永久磁石１１は接していてもよい。また、４つの磁極領域に分割された１個の永久磁石を用いてもよいし、単極の永久磁石を４個配置してもよい。
【００２７】
ただし、１個の永久磁石を４つの磁極に着磁する場合には、磁極境界線が十字に交差する交点付近で着磁が十分に行われないことがあり、コイルに作用する磁束密度が低下することがあり、また、単極の永久磁石を４個配置する場合に図２及び図３に示すように各磁極の大きさが異なると、寸法の異なる永久磁石を用意する必要があり、部品点数が増加することになる。これに対して、上記したように２極に着磁した永久磁石１１をホルダ２の各側面に２個ずつ使用する場合には、磁極境界を明瞭に持たせることができ、隣り合う２個の永久磁石１１は同じ部品を表裏反転させたものを用いれば部品点数が増えることもないため、こちらの方が好ましい。
【００２８】
図４は、永久磁石１１により一対の第１のコイル３及び第２のコイル４に作用する磁束密度の分布を示す図である。これらのコイルで発生する駆動力に寄与する磁束密度はフォーカシング方向及びトラッキング方向に垂直なｘ方向成分である。図４（ａ）では、一対の第１のコイル３のコイル線部３ａ及び３ｃと第２のコイル４に対向する永久磁石１１表面の磁束密度のｘ方向成分Ｂｘの分布を示している。図４（ｂ）では、一対の第１のコイル３のコイル線部３ｂ及び３ｄに対向する永久磁石１１表面の磁束密度のｘ方向成分Ｂｘの分布を示している。図示するように、磁束密度が均一な範囲は、長方形をした各磁極領域の中央部に対向する部分であり、各磁極領域の周辺部では磁束密度が小さくなっている。
【００２９】
図５は、対物レンズ１及びホルダ２が中立状態にあるときの第１のコイル３及び第２のコイル４に発生する駆動力を示す図である。ここで、対物レンズ１及びホルダ２が中立状態であるとは、上記したように第１のコイル３と第２のコイル４とがそれぞれトラッキング方向及びフォーカシング方向に平行な磁極領域の境界線をほぼ中央にまたぐような位置にある状態（図３に示す状態）を言うものとする。対物レンズ１及びホルダ２が中立状態にあるときには、第１のコイル３のコイル線部３ａ及び３ｃは、これに対向する磁極領域において、対物レンズ１の光軸に対してトラッキング方向の外側寄りに位置しており、第１のコイル３のコイル線部３ｂ及び３ｄは、これに対向する磁極領域において、対物レンズ１の光軸に対してトラッキング方向の内側寄りに位置している。
【００３０】
図５において、各コイルに駆動電流を供給すると、第１のコイル３はフォーカシング方向に垂直なコイル線部３ａ、３ｂ、３ｃ、３ｄにおいてそれぞれフォーカシング方向への駆動力Ｆａ、Ｆｂ、Ｆｃ、Ｆｄを発生し、第２のコイル４はトラッキング方向に垂直な２つのコイル線部においてそれぞれトラッキング方向への駆動力Ｔａ、Ｔｂを発生する。この中立状態では、駆動力Ｆａ、Ｆｂ、Ｆｃ、Ｆｄの大きさの対称性から、レンズ１及びホルダ２にｘ軸回りの回転モーメントが発生するようなことはない。
【００３１】
一方で、図６は、対物レンズ１及びホルダ２が中立状態からトラッキング方向に遷移した状態において、第１のコイル３に発生する駆動力を示す図である。上記同様、第１のコイル３に駆動電流を供給すると、フォーカシング方向に垂直なコイル線部３ａ、３ｂ、３ｃ、３ｄにおいてそれぞれフォーカシング方向への駆動力Ｆａ、Ｆｂ、Ｆｃ、Ｆｄを発生する。ここで、第１のコイル３のコイル線部３ａと３ｄは、対向する磁極領域の周辺部から中央部に向けて遷移したことになるので、これらのコイル線部で発生する駆動力ＦａとＦｄは中立状態における値よりも大きくなる。逆に、第１のコイル３のコイル線部３ｂと３ｃは、対向する磁極領域の中央部から周辺部に向けて遷移したことになるので、これらのコイル線部で発生する駆動力ＦｂとＦｃは中立状態における値よりも小さくなる。
【００３２】
したがって、本発明の光ピックアップ装置１１０の対物レンズ駆動手段５０では、対物レンズ１及びホルダ２が中立状態からトラッキング方向に遷移した場合でも、一対の第１のコイル３全体で発生する駆動力は変化が小さく抑えられるようになっている。また、このとき、第１のコイル３における駆動力Ｆａの増加分と駆動力Ｆｂの減少分とが相殺し合い、Ｆｃの減少分とＦｄの増加分とが相殺し合うため、左右それぞれの第１のコイル３における駆動力の変化が小さく抑えられるようになっており、左右の第１のコイル３で発生する駆動力のアンバランスを原因とするｘ軸回りの回転モーメントの発生を抑制することができる。
【００３３】
このように、第１のコイル３のコイル線部３ａと３ｃを、対物レンズ１の光軸に対してトラッキング方向の外側寄りに配置し、第１のコイル３のコイル線部３ｂと３ｄを、対物レンズ１の光軸に対してトラッキング方向の内側寄りに配置する構成をとれば、フォーカシング方向に垂直なコイル線部３ａ、３ｂ、３ｃ、３ｄを長くしたとしても、対物レンズ１及びホルダ２が中立状態からトラッキング方向に遷移した際に、第１のコイル３全体の駆動力の変化やｘ軸回りの回転モーメントの発生といった問題を抱えることなく、第１のコイル３のフォーカシング方向への駆動力を大きくするという効果を達成することが可能となる。
【００３４】
また、一対の第１のコイル３を略平行四辺形とすることで、対物レンズ１に近い方のコイル線部３ａ及び３ｃで発生する駆動力と、対物レンズ１から遠い方のコイル線部３ｂ及び３ｄで発生する駆動力との間に差が生じることを防ぐことができるという効果がある。さらに、図３等に示すように、第１のコイル３の対物レンズ１に近い方のコイル線部３ａ及び３ｃを、対物レンズ１の光軸に対してトラッキング方向の外側に配置することにより、コイル線部３ａ及び３ｃの間にスペースを広くとることができ、このスペースに第２のコイル４の一部を第１のコイル３と重なることなく配置することができる。これにより、永久磁石１１と第１のコイル３及び第２のコイル４それぞれとの距離を均等にすることができるので、第１のコイル３と第２のコイル４とに作用する磁束密度を均等に高めることができる。また、第２のコイル４のトラッキング方向に垂直な２つのコイル線部を長くすることができるので、第２のコイル４で発生する駆動力Ｔａ及びＴｂを大きくすることができる。
【００３６】
また、図７に示すように第２のコイル１４を台形形状とし、一対の第１のコイル３の傾斜したコイル線部の間に配置することもできる。第２のコイル１４を台形形状とすることで、トラッキング方向の駆動力を発生するコイル線部を永久磁石１１の中央部に近づけることができる。これにより、コイルに作用する磁束密度が大きくなり、第２のコイル１４で発生する駆動力を大きくすることができるという効果がある。
【００３７】
以上、本発明の光ピックアップ装置について、具体的な実施の形態を示して説明したが、本発明はこれらに限定されるものではない。当業者であれば、本発明の要旨を逸脱しない範囲内において、上記各実施形態又は他の実施形態にかかる発明の構成及び機能に様々な変更・改良を加えることが可能である。
【産業上の利用可能性】
【００３８】
本発明の光ピックアップ装置は、ＣＤ、ＤＶＤ等の光ディスク記録再生装置において光ディスク記録面に対して情報の記録及び再生を行うための光ピックアップ装置として利用することができる。
【図面の簡単な説明】
【００３９】
【図１】本発明の光ピックアップ装置を備えた光ディスク記録再生装置の概略構成を示す図である。
【図２】本発明の光ピックアップ装置の対物レンズ駆動手段の構造を示す分解斜視図である。
【図３】図２に示す光ピックアップ装置の対物レンズ駆動手段において、対物レンズのホルダ側面に備えるコイル群とこれに対向して配置される永久磁石との位置関係を概略的に示す図である。
【図４】図２に示す光ピックアップ装置の対物レンズ駆動手段において、永久磁石により対物レンズのホルダ側面に備えるコイル群に作用する磁束密度の分布を示す図である。
【図５】図２に示す光ピックアップ装置の対物レンズ駆動手段において、対物レンズ及びホルダが中立状態にあるときの第１のコイル及び第２のコイルに発生する駆動力を示す図である。
【図６】図２に示す光ピックアップ装置の対物レンズ駆動手段において、対物レンズ及びホルダが中立状態からトラッキング方向に遷移した状態において、第１のコイルに発生する駆動力を示す図である。
【図７】図２に示す光ピックアップ装置の対物レンズ駆動手段において、対物レンズのホルダ側面に備えるコイル群の配置例を示す図である。
【図８】従来の光ピックアップ装置におけるレンズホルダ側面のコイルとこれに対向する磁石の配置を示す図である。
【図９】図８に示す従来のレンズホルダが中立状態からトラッキング方向に変位したときの状態を示す図である。
【符号の説明】
【００４０】
１  対物レンズ
２  ホルダ
３，１３  第１のコイル
４，１４  第２のコイル
６  支持部材
７  固定部
９  ヨーク
１１  永久磁石
５０  対物レンズ駆動手段
１００  光ディスク装置
１０１  光ディスク
１１０  光ピックアップ装置
１１１  レーザ発光素子
１１２  光検出器
【図１】
0004486020.tif 000002
【図２】
0004486020.tif 000003
【図３】
0004486020.tif 000004
【図４】
0004486020.tif 000005
【図５】
0004486020.tif 000006
【図６】
0004486020.tif 000007
【図７】
0004486020.tif 000008
【図８】
0004486020.tif 000009
【図９】
0004486020.tif 000010